(57)【要約】【課題】可燃性冷媒を用いた冷蔵庫において、冷蔵庫の断熱材に引火するのを防止すると共に、不燃性部材の端面と、電気配線や手との接触を防止することで、安全性、作業性を高めること。【解決手段】基板と基板収納ケースとの間に不燃性部材を配置し、不燃性部材の周端部に基板収納ケース方向に折り曲げた折り曲げ部を形成し、折り曲げ部と基板収納ケースに形成した段差部との間にケースカバーを嵌めこんでカバーすることで、冷蔵庫の断熱材に引火するのを防止すると共に、不燃性部材の周端部を保護し、作業者の作業性、安全性を高めることができる。【選択図】図２
2012052727.tif 000002
【特許請求の範囲】
【請求項１】
外箱と内箱と、これらの間に充填発泡した断熱材と、外箱を形成する背面板に冷蔵庫を運転制御する制御基板の基板収納ケースと、前記基板収納ケースを覆うケースカバーと、前記基板収納ケースを前記背面板に埋め込んで前記断熱材を充填発泡し、可燃性冷媒を封入した冷蔵庫において、前記制御基板と前記基板収納ケースとの間に不燃性部材を配置し、前記不燃性部材の周端部には前記基板収納ケース方向に折り曲げた折り曲げ部を形成し、前記折り曲げ部と前記基板収納ケースに形成した段差部との間に前記ケースカバーを嵌めこんでカバーしたことを特徴とする冷蔵庫。
【請求項２】
基板収納ケース内に、制御基板を保持する台座を有し、不燃性部材、前記台座、前記制御基板の順に配置し、前記基板に接続し、前記基板収納ケースの外側に配線された電気配線は、前記台座に一体成形され前記不燃性部材の端面を覆う配線ガイド部にガイドされて配線されたことを特徴とする請求項１の冷蔵庫。
【請求項３】
基板収納ケース内に、制御基板を保持する台座を有し、不燃性部材、前記台座、前記制御基板の順に配置し、前記制御基板に対して上部に空間部を形成したことを特徴とする請求項１の冷蔵庫。
【請求項４】
基板収納ケース内に冷蔵庫周辺の温度を検知して運転制御する周囲温度センサーを備え、前記周囲温度センサーは基板の上部に設けた空間部に台座と一体成形された周囲温度センサー収納部に収納し、前記周囲温度センサー収納部は前記空間部の端部に配置した請求項１または２の冷蔵庫。
【請求項５】
不燃性部材とケースカバーは金属性で、基板収納ケースと台座は樹脂部材で形成した請求項１から４のいずれかに記載の冷蔵庫。
【発明の詳細な説明】
【技術分野】
【０００１】
本発明は可燃性冷媒を用いた冷蔵庫の電装部品の収納構造に関するものである。
【背景技術】
【０００２】
従来、可燃性冷媒を用いた冷蔵庫の電装部品の収納構造に関して、漏れた可燃性冷媒が電装部品のカバーとの隙間から内部へ侵入するのを低減するために、基板収納部の外周とカバーとの間にシール材を設けている（例えば、特許文献１参照）。
【０００３】
以下、図面を参照しながら上記従来の冷蔵庫を説明する。
【０００４】
図５は従来の冷蔵庫の概略背面図、図６は従来の冷蔵庫の電装部品収納部の構成図である。図５、６において、冷蔵庫本体２７の背面下部に機械室２８が構成され圧縮機２９と電装部品収納部３０を有している。電装部品収納部３０は、樹脂成形品の収納ケース３１を有し、内部を制御基板３２を収納する基板収納部３３と電気配線を収納する電気配線収納部３４とに区画している。シール材３５は制御基板３２を収納する基板収納部３３の周縁部をシールするものでカバー３６に貼り付けられている。
【先行技術文献】
【特許文献】
【０００５】
【特許文献１】特開２００４−１２５２１０号公報
【発明の概要】
【発明が解決しようとする課題】
【０００６】
しかしながら、従来は電装部品内に万一可燃性冷媒が侵入し、発火した場合に、電装部品収納部が燃焼し、冷蔵庫の断熱材に引火する可能性があった。本発明は電装部品内に万一可燃性冷媒が侵入し、発火した場合に、冷蔵庫の断熱材に引火するのを防止すると共に、引火防止する不燃性部材を電装部品収納部に備えたとき、電装部品に接続される電気配線が不燃性部材の端面と接触して傷つくのを防止し、また、不燃性部材の端面保護による作業者の作業性向上を図ることができる冷蔵庫を提供することを目的とする。
【課題を解決するための手段】
【０００７】
従来の課題を解決するために、本発明の冷蔵庫は、外箱と内箱と、これらの間に充填発泡した断熱材と、外箱を形成する背面板に冷蔵庫を運転制御する基板の基板収納ケースと、前記基板収納ケースを覆うケースカバーと、前記基板収納ケースを前記背面板に埋め込んで前記断熱材を充填発泡し、可燃性冷媒を封入した冷蔵庫において、前記基板と前記基板収納ケースとの間に不燃性部材を配置し、前記不燃性部材の周端部には前記基板収納ケース方向に折り曲げた折り曲げ部を形成し、前記折り曲げ部と前記基板収納ケースに形成した段差部との間に前記ケースカバーを嵌めこんでカバーしたことを特徴とするものである。
【０００８】
これによって、電装部品内に万一可燃性冷媒が侵入し、発火した場合に、電装部品収納部が燃焼し、冷蔵庫の断熱材に引火することがなく、また、不燃性部材の周端部を保護し、電気配線の傷つきを防止することができ、また、作業者の作業性向上を図ることができる。
【発明の効果】
【０００９】
本発明の冷蔵庫は電装部品内に万一、可燃性冷媒が侵入し、発火した場合に、電装部品
収納部が燃焼し、冷蔵庫の断熱材に引火するのを防止し、また引火防止する不燃性部材を電装部品収納部に備えたとき、電装部品に接続される電気配線が不燃性部材の端面と接触して傷つくのを防止できる。
【図面の簡単な説明】
【００１０】
【図１】本発明の実施の形態１における冷蔵庫の縦断面図
【図２】本発明の実施の形態１における冷蔵庫の基板収納部の縦断面図
【図３】本発明の実施の形態１における冷蔵庫の基板収納部の背面図
【図４】本発明の実施の形態１における冷蔵庫の基板収納部の構成を示す分解図
【図５】従来の冷蔵庫の概略背面図
【図６】従来の冷蔵庫の電装部品収納部の構成図
【発明を実施するための形態】
【００１１】
請求項１に記載の発明は、外箱と内箱と、これらの間に充填発泡した断熱材と、外箱を形成する背面板に冷蔵庫を運転制御する基板の基板収納ケースと、前記基板収納ケースを覆うケースカバーと、前記基板収納ケースを前記背面板に埋め込んで前記断熱材を充填発泡し、可燃性冷媒を封入した冷蔵庫において、前記基板と前記基板収納ケースとの間に不燃性部材を配置し、前記不燃性部材の周端部には前記基板収納ケース方向に折り曲げた折り曲げ部を形成し、前記折り曲げ部と前記基板収納ケースに形成した段差部との間に前記ケースカバーを嵌めこんでカバーしたことを特徴とする冷蔵庫である。これによって、電装部品内に万一可燃性冷媒が侵入し、発火した場合に、電装部品収納部が燃焼し、冷蔵庫の断熱材に引火することがなく、また、不燃性部材の周端部を保護し、電気配線の傷つきを防止することができ、また、作業者の作業性向上を図ることができる。
【００１２】
請求項２に記載の発明は、請求項１記載の発明において、基板収納ケース内に、制御基板を保持する台座を有し、不燃性部材、前記台座、前記制御基板の順に配置し、前記基板に接続し、前記基板収納ケースの外側に配線された電気配線は、前記台座に一体成形され前記不燃性部材の端面を覆う配線ガイド部にガイドされて配線されたことを特徴とする冷蔵庫である。これによって、電気配線を基板収納ケースの外側に配線する際に不燃性部材の端面を保護することで、電気配線の傷つきを防止することができ、また、作業者の作業性をさらに高めることができる。
【００１３】
請求項３に記載の発明は、請求項１記載の発明において、基板収納ケース内に、制御基板を保持する台座を有し、不燃性部材、前記台座、前記制御基板の順に配置し、前記制御基板に対して上部に空間部を形成したことを特徴とする冷蔵庫である。これによって、制御基板上の電装部品の温度上昇を抑制することで、基板収納部での発火の危険性を低減することができ、また、制御基板の電装部品から発生する熱による部品の劣化を防止することができる。
【００１４】
請求項４に記載の発明は、請求項１または２記載の発明において、基板収納ケース内に冷蔵庫周辺の温度を検知して運転制御する周囲温度センサーを備え、前記周囲温度センサーは制御基板の上部に設けた空間部に台座と一体成形された周囲温度センサー収納部に収納し、前記周囲温度センサー収納部は前記空間部の端部に配置したことを特徴とする冷蔵庫である。これによって、前記周囲温度センサーは制御基板上の電気部品から発生する熱の影響を受けにくく、周囲温度センサーの誤動作を防止することができる。
【００１５】
請求項５に記載の発明は、請求項１〜４のいずれか一項に記載の発明において、不燃性部材とケースカバーは金属性で、基板収納ケースと台座は樹脂部材で形成したことを特徴とする冷蔵庫である。これによって、断熱材を充填発泡する際に基板収納部内に断熱材が漏れる可能性を低減し、電装部品内に万一可燃性冷媒が侵入し、発火した場合に、電装部
品収納部が燃焼し、冷蔵庫の断熱材に引火する危険性を低減することができる。
【００１６】
以下、本発明の実施の形態について、図面を参照しながら説明するが、従来例と同一構成については同一符号を付して、その詳細な説明は省略する。なお、この実施の形態によってこの発明が限定されるものではない。
【００１７】
（実施の形態１）
図１は本発明の実施の形態１における冷蔵庫の縦断面図、図２は同実施の形態における冷蔵庫の基板収納部の断面図、図３は同実施の形態における冷蔵庫の基板収納部の背面図、図４は同実施の形態における冷蔵庫の基板収納部の構成を示す分解図である。
【００１８】
図１から図２において１は冷蔵庫、２は扉、３は外箱、４は内箱、５は外箱３と内箱４の間に充填発泡した断熱材、６は外箱を形成する背面板、７は冷蔵庫を運転制御する制御基板の収納部、８は上部機械室、９は圧縮機、１０は下部機械室、１１は凝縮機である。
【００１９】
また、基板収納部７は、制御基板１２、基板収納ケース１３、制御基板１２と基板収納ケース１３との間に配置された不燃性部材１４、制御基板１２等の電装部品を保持するための台座１５、基板収納部７を覆うケースカバー１６によって構成されている。
【００２０】
また、不燃性部材１４の周端部には基板収納ケース１３方向に折り曲げた折り曲げ部１７を形成し、折り曲げ部１７と基板収納ケース１３に形成した段差部１８との間にケースカバー１６を嵌めこんでカバーしている。
【００２１】
また、図３から４に示すように、基板収納部７には切り欠き部１９を有し、冷蔵庫１から基板収納部７に延出する電気配線２０が切り欠き部１９を介して制御基板１２に取り外し自在に連結している。
【００２２】
また電気配線２０は台座１５に一体成形され、不燃性部材１４の配線出口部２１を覆う配線ガイド部２２にガイドされて配線されている。
【００２３】
また、基板収納部７は、制御基板１２の上部に空間部２３を有している。
【００２４】
また、空間部２３には、冷蔵庫周辺の温度を検知して運転制御する周囲温度センサー２４を備え、周囲温度センサー２４は制御基板１２の上部に設けた空間部２３に台座１５と一体成形された周囲温度センサー収納部２５に収納している。
【００２５】
以上のように構成された本発明の実施の形態１における冷蔵庫について、以下その作用を説明する。
【００２６】
制御基板１２は、多くの電子部品を装着し冷蔵庫の制御回路を構成するものであるが、これを開放空間に配設すると、小型の部品を密装しているため、埃の付着や虫の侵入により回路がショートし冷蔵庫の運転制御に支障をきたす。これを防止するため、基板収納ケース１３とケースカバー１６で構成されるような閉空間に配設するのが一般的である。基板収納部７は制御基板１２、基板収納ケース１３、制御基板１２と基板収納ケース１３との間に配置された不燃性部材１４、制御基板１２等の電装部品を保持するための台座１５、基板収納部を覆うケースカバー１６によって構成されている。
【００２７】
また、不燃性部材１４の周端部には基板収納ケース１３方向に折り曲げた折り曲げ部１７を形成し、折り曲げ部１７と基板収納ケース１３に形成した段差部１８との間にケースカバー１６を嵌めこんでカバーすることで、基板収納部７内に万一可燃性冷媒が侵入し、
発火した場合に、基板収納部７が燃焼し、冷蔵庫の断熱材５に引火することがなくなり、また、基板収納部への可燃性冷媒の侵入の機会を減らすことができ、安全性が高まる。
【００２８】
また不燃性部材１４の周端部とケースカバー１６の間にシール材を設けることにより、基板収納部への可燃性冷媒の侵入の機会を減らすことができ、さらに安全性が高まる。
【００２９】
また、基板収納部７は制御基板１２等の電装部品の取り付けや、電気配線など組み立て作業の多い箇所であり、不燃性部材１４の周端部が露出している場合には、作業者の手が不燃性部材１４の周端部に接触し怪我をしたり、電気配線２０が不燃性部材１４の周端部と接触して傷つく恐れがある。
【００３０】
本発明の構成では、不燃性部材１４の周端部には基板収納ケース１３方向に折り曲げた折り曲げ部１７を形成し、折り曲げ部１７と基板収納ケース１３に形成した段差部１８との間にケースカバー１６を嵌めこんでカバーすることで、不燃性部材の周端部を保護しているので、作業者の作業性向上を図ることができ、また、さらに安全性が高まる。
【００３１】
また、基板収納部７には、切り欠き部１９を有し、冷蔵庫１１から基板収納部７に延出する電気配線２０が切り欠き部１９を介して制御基板１２に取り外し自在に連結している。不燃性部材１４の配線出口部２１が露出している場合には、電気配線２０が不燃性部材１４の端面と接触して傷つく恐れがあるので、基板収納ケース１３内に、制御基板１２を保持する台座１５を有し、不燃性部材１４、台座１５、制御基板１２の順に配置し、制御基板１２に接続し、基板収納ケース１３の外側に配線された電気配線２０は、台座１５に一体成形され不燃性部材１４の端面を覆う配線ガイド部２２にガイドされて配線することで、電気配線２０を基板収納ケース１３の外側に配線する際に、不燃性部材１４の端面を保護し、電気配線２０の傷つきを防止することができ、また、作業者の作業性をさらに高めることができる。
【００３２】
また、切り欠き部１９を通過する電気配線２０の周囲にシール材として難燃性ウレタンフォームを巻くことで、基板収納ケース１３とケースカバー１６の間にシール面を形成することができ、基板収納部への可燃性冷媒の侵入の機会を減らすことができるので、さらに安全性が高まる。
【００３３】
また、冷蔵庫の基板収納部７は閉空間に配設されているために、制御基板１２上の電気部品から発生する熱がこもりやすく、電気部品の温度上昇により発火の危険性がある。本発明の構成では、基板収納部７には、制御基板１２の上部に空間部２３を設けることで、制御基板１２上の電子部品の温度上昇を抑制することができるので、さらに安全性が高まる。
【００３４】
さらに、制御基板１２上の電子部品から発生する熱による基板収納部構成部品の劣化を防止することができる。
【００３５】
なお、空間部２３における制御基板１２上の電子部品から発生する熱による基板収納部構成部品の劣化を防止するために、空間部２３には台座１５を設けないことが望ましい。
【００３６】
また、空間部２３には冷蔵庫周辺の温度を検知して運転制御する周囲温度センサー２４を備えている。周囲温度センサー２４を基板収納部７に配置する場合には、周囲温度センサー２４は制御基板１２上の電子部品の温度上昇の影響を受け、誤動作を引き起こす可能性がある。
【００３７】
本発明の構成では、周囲温度センサー２３を制御基板１２の上部に設けた空間部２３に
台座１５と一体成形された周囲温度センサー収納部２５に収納することで、制御基板１２上の電子部品の温度上昇の影響を受けにくくし、信頼性が向上する。なお、周囲温度センサー収納部２５は制御基板１２の上部の空間部２２に限らず、下部、横部に配置してもよい。
【００３８】
また、基板収納部７内の不燃性部材１４とケースカバー１６は金属性で、基板収納ケース１３と台座１５は樹脂部材で形成している。基板収納ケース１３を樹脂部材で形成することで、断熱材５を充填発泡する際に基板収納部７内に断熱材５が漏れる可能性を低減することができ、電装部品内に万一可燃性冷媒が侵入し、発火した場合に、冷蔵庫の断熱材に引火する危険性を低減することができ、安全性が高まる。
【００３９】
台座１５を樹脂部材で形成することで、制御基板１２を台座１５に取り付ける際に、制御基板１２を保持しやすく、制御基板１２の取り付けの作業性が高まる。
【００４０】
なお、基板収納ケース１３と台座１５を難燃性の樹脂部材で形成することで、電装部品内に万一可燃性冷媒が侵入し、発火した場合に、基板収納ケース１３と台座１５を介して、冷蔵庫の断熱材に引火する危険性を低減することができ、さらに安全性が高まる。
【００４１】
以上のように、本発明の冷蔵庫は、可燃性冷媒を封入した冷蔵庫において、制御基板１２と基板収納ケース１３との間に不燃性部材１４を配置し、不燃性部材１４の周端部には基板収納ケース１３方向に折り曲げた折り曲げ部１７を形成し、折り曲げ部１７と基板収納ケースに形成した段差部１８との間にケースカバー１６を嵌めこんでカバーしたものである。
【００４２】
これによって、電装部品内に万が一可燃性冷媒が侵入し、発火した場合に、基板収納部７が燃焼し、冷蔵庫の断熱材５に引火するのを防止すると共に、不燃性部材１４の周端部を保護し、電気配線２０の傷つきを防止することができ、また、作業者の作業性向上を図ることができる。
【産業上の利用可能性】
【００４３】
以上のように、本発明にかかる冷蔵庫は、可燃性冷媒を用いた冷蔵庫において、冷蔵庫の断熱材に引火するのを防止すると共に、不燃性部材の端面と、電気配線や手との接触を防止することで、安全性、作業性が高い冷蔵庫であるために、可燃性冷媒を用いた他の冷凍冷蔵応用商品にも適用できる。
【符号の説明】
【００４４】
１  冷蔵庫
３  外箱
４  内箱
５  断熱材
６  背面板
７  基板収納部
１２  制御基板
１３  基板収納ケース
１４  不燃性部材
１５  台座
１６  ケースカバー
１７  折り曲げ部
１８  段差部
２０  電気配線
２３  空間部
２４  周囲温度センサー
２５  周囲温度センサー収納部
【図１】
2012052727.tif 000003
【図２】
2012052727.tif 000004
【図３】
2012052727.tif 000005
【図４】
2012052727.tif 000006
【図５】
2012052727.tif 000007
【図６】
2012052727.tif 000008